(57)【要約】【課題】  ハエ取り紙あるいは虫取り用帯状体あるいは防虫剤を塗布された防虫帯状体及びハエ取り紙あるいは虫取り用帯状体用シートあるいは防虫剤を塗布された防虫帯状体これらを用いた生物用器具を提供する。  更に、表面に塗る剤が粘着剤であるか、防虫剤であるか、忌避剤であるかにより全く異なる用途に使用することを可能とする。【解決手段】  螺旋状からなる生物用帯状体１１の頂点部分はプラスチックボトル３２の口部３３周囲に嵌められ、その上からキャップ３４を嵌めて帯状体１１は被取り付け体であるプラスチックボトル３２に固定される生物用器具３１。【選択図】図１
2015208270.tif 000002
【特許請求の範囲】
【請求項１】
螺旋状からなる帯状体の頂点部分を被取り付け体への取り付け部としたことを特徴とする生物用帯状体。
【請求項２】
表面に粘着剤を塗布した請求項１記載の生物用帯状体。
【請求項３】
表面に防虫剤を塗布した請求項１記載の生物用帯状体。
【請求項４】
表面に忌避剤を塗布した請求項１記載の生物用帯状体。
【請求項５】
シート周辺から中心まで渦巻き状に、切り込みを入れ、帯状体の中心部分を被取り付け体への取り付け部とし、螺旋状からなる帯状体を形成したことを特徴とする生物用帯状体用シート。
【請求項６】
表面に粘着剤を塗布した請求項５記載の生物用帯状体用シート。
【請求項７】
表面に防虫剤を塗布した請求項５記載の生物用帯状体用シート。
【請求項８】
表面に忌避剤を塗布した請求項５記載の生物用帯状体用シート。
【請求項９】
螺旋状からなる帯状体の頂点部分を被取り付け体へ取り付けたことを特徴とする生物用器具。
【請求項１０】
被取り付け体がプラスチックボトルである請求項９記載の生物用器具。
【請求項１１】
螺旋状からなる帯状体の頂点部分はプラスチックボトルの口部周囲に嵌められ、その上からキャップを嵌めて帯状体は被取り付け体に固定される請求項９又は請求項１０記載の生物用器具。
【請求項１２】
表面に粘着剤を塗布した請求項９又は請求項１０記載の生物用器具。
【請求項１３】
表面に防虫剤を塗布した請求項９又は請求項１０記載の生物用器具。
【請求項１４】
表面に忌避剤を塗布した請求項９又は請求項１０記載の生物用器具。
【発明の詳細な説明】
【技術分野】
【０００１】
本発明は、生物用帯状体及び生物用帯状体用シート及び生物用器具に係る。詳細には、ハエ等の生物用帯状体及び生物用帯状体用シート及びこれらを用いた生物用器具に係る。更に詳細には、ハエ取り紙あるいは虫取り用帯状体あるいは防虫剤や忌避剤を塗布された防虫帯状体及びハエ取り紙あるいは虫取り用帯状体用シートあるいは防虫剤や忌避剤を塗布された防虫帯状体等を用いた生物用器具に係る。
【背景技術】
【０００２】
従来、虫用に用いられる帯状体としては、ハエ取り紙あるいは虫取りリボンあるいは逆に防虫剤を塗布された防虫リボンが知られている。
ハエ取り紙あるいは虫取りリボンは、誘引材が付いた粘着テープを天井や鴨居などから吊し、寄ってくるハエを捕獲し、駆除するハエ取り紙あるいは虫取りリボンあるいはハエ取りリボンである。リボンには、粘着物質が表面に塗られている。未使用時には、リボンは、円筒形状に巻き込まれて円筒の容器に収納される。
防虫リボンは、リボンに防虫物質を塗り、虫よけ、猫除けに使用される。
【０００３】
特許文献１に記載の「巻き取り式コバエとり器」は、「両面に粘着剤をつけたリボンがロールに巻かれて、そのロールを箱に収納し、ロールからリボンの先端部分を箱から引き出して本体の上の部分にある巻きとりロールに止め、ハンドルを回せばコバエとり器のリボンの両面粘着剤にコバエを粘着捕獲することを特徴とする巻き取り式コバエとり器」からなる。
【０００４】
特許文献２に記載の「飛翔昆虫類捕獲器」は、「内面に飛翔昆虫類を粘着させるための粘着シート１を貼着する屋根状の屋根型上部捕獲体２と、この屋根型上部捕獲体２の下方に配置すると共に、縦方向に向かう面壁部３を有する下部誘引体４と、からなり、下部誘引体４の面壁部３に着地した飛翔昆虫類を、下部誘引体４の面壁部３に沿って上方に誘導して、上方の屋根型上部捕獲体２における粘着シート１で、飛翔昆虫類を捕獲するようにした飛翔昆虫類捕獲器」からなる。
【０００５】
特許文献３記載の「ハエ取りリボンカバー」は、「筒形で蛇腹状のカバーの中空の中心部を通るようにハエ取りリボンを差し込み、ハエ取りリボンとカバーを同時に引き延ばすことで、ハエ取りリボンの粘着部分全体をカバーで覆う。」、そして、「蛇腹状のカバー側面にハエが通過できる大きさの穴を多数設け、ハエ取りリボンの性能を十分に発揮できる構造」からなる。
【０００６】
特許文献４記載の「飛翔昆虫類捕獲器」は、「内部に捕獲室２を形成すると共に、下部に縦向きの侵入用穴部７を設けた捕獲容器１と、この捕獲容器１の侵入用穴部７から吊り下げられた吊り下げ誘引板１０と、からなる飛翔昆虫類捕獲器」からなる。
【０００７】
特許文献５記載の「害虫防除器具」は、「基体１の開孔２から、薬剤を付着させた帯状体３を支持部材４に支持すると共に、順次繰り出し、繰り入れ自在に設けたものとしている。薬剤は、害虫捕獲用粘着剤、殺虫剤、忌避剤、昆虫成長抑制剤、吸血阻害剤、殺卵剤、フィトチッドとすることができる。帯状体３は、ロール状に巻かれたものとしている。」からなる。
【０００８】
特許文献６記載の「虫捕獲用粘着剤及び虫捕獲器」は、「虫捕獲器１は、虫捕獲用粘着剤２と、この虫捕獲用粘着剤２を塗布したシート体１０と、該シート体１０を収容する容器本体２０と、該容器本体２０に設けられた虫導入用開口部２１〜３１と、前記容器本体２０及び前記シート体１０にそれぞれ設けられた虫誘引部の揮散性虫誘引マット３及び虫誘引性色彩部１１から構成されている。容器本体２０は、透明プラスチックのブランク板状物を、水平方向の断面が台形で上面が開口した箱型に形成したものである。虫捕獲用粘着剤２は、前記虫を粘着して捕獲する粘着性物質に難揮散性虫指向性物質を含有」からなる。
【０００９】
特許文献７記載の「害虫防除材」は、「害虫防除材は、水分によって容易にほぐれる薬剤含有紙に、哺乳動物には有害作用を示さず、ハエ等の害虫に対して防除効果を有する薬剤が含有されて構成されている。」、「長方形形状の害虫防除材１…が、上記糞４の山のすそ野４ａ（図１（ｂ）参照）が形成される部分に敷かれている。」ものである。
【００１０】
特許文献８記載の「誘引剤及び飛翔害虫捕殺シート並びに飛翔害虫の捕殺方法」「ヨーグルトフレーバーを含むことを特徴とする飛翔害虫の誘因剤，及び当該誘因剤を用いた飛翔害虫捕殺シート」他からなる。
【００１１】
特許文献９記載の「吊り下げ式揮散剤用容器」は、「吊り下げ式揮散剤用容器１は、容器本体３と容器本体３を吊り下げ保持するフック５とインジケータ７」他からなる。
【００１２】
特許文献１０記載の「害虫駆除テープ」は、「長尺テープ（２）裏面に粘着剤（３）を施し、その表面には石灰や酸化マグネシュームを主剤とするアルカリ防虫剤（６）を塗着した、アルカリ防虫剤（６）面に剥離紙（７）を介在させて巻芯（８）にロール巻きして防虫駆除テープ（１ａ）を構成する。」ものである。
【００１３】
特許文献１１記載の「防虫及び防獣テープ」は、「テープ（１）の表面に、防虫剤及び防獣剤（２）を施し、このテープの裏面に粘着剤（３）を施したことを特徴とする、防虫及び防獣テープ。」に係る。
【００１４】
忌避剤としては、特開２０１３−１５１４９３「有害生物防除組成物」、特開２０１２−１５３６７２「野生動物忌避剤」等に記載のものが知られている。
【先行技術文献】
【特許文献】
【００１５】
【特許文献１】特開２０１０−６８７６２号公報
【特許文献２】特開２００９−１６５４０４号公報
【特許文献３】特開２００９−６５９１９号公報
【特許文献４】特開２００８−２８３９２７号公報
【特許文献５】特開２００４−６５１４０号公報
【特許文献６】特開２００２−２５３１０２号公報
【特許文献７】特開２００２−６０３０５号公報
【特許文献８】特開平１１−１９２０４３号公報
【特許文献９】特開２０１２−２２９０４９号公報
【特許文献１０】特開平１０−３２７７３２号公報
【特許文献１１】特開平８−１５４５６５号公報
【発明の概要】
【発明が解決しようとする課題】
【００１６】
特許文献１乃至５、同８にはハエ取り等虫取り用のリボンについての記載はあるが、直線帯状のリボンについての記載にとどまり、螺旋状のハエ取り等虫取り用リボンについての記載は無い。
【００１７】
特許文献６に記載の「虫捕獲用粘着剤及び虫捕獲器」、は大掛かりとなる課題を有した。
特許文献７に記載の「害虫防除材」には、「長方形形状の害虫防除材１…が、上記糞４の山のすそ野４ａ（図１（ｂ）参照）が形成される部分に敷かれている。」についての記載があるに過ぎない。
特許文献９に記載の「吊り下げ式揮散剤用容器」には、防虫剤を吊り下げる装置についての記載があるが、大掛かりとなる課題を有した。
【００１８】
特許文献１０に記載の「害虫駆除テープ」は、テープ両面に粘着剤と防虫剤とを塗布するものであり、粘着用と防虫用の２用途に用いられるものでは無い。
特許文献１１に記載の「防虫及び防獣テープ」は、粘着剤と防虫剤とを積層するものであって、粘着用と防虫用の２用途に用いられるものでは無い。
いずれの従来例にも、螺旋状帯状体を粘着用あるいは防虫用に用いられた例は無い。
【００１９】
本発明の目的は、螺旋状の簡単な構造でありながら、見栄えがする、生物用帯状体及び生物用帯状体用シート及び生物用器具を提供することである。詳細には、ハエ等の生物用帯状体及び生物用帯状体用シート及びこれらを用いた生物用器具を提供することである。
更に詳細には、ハエ取り紙あるいは虫取り用帯状体あるいは防虫剤や忌避剤を塗布された防虫帯状体及びハエ取り紙あるいは虫取り用帯状体用シートあるいは防虫剤や忌避剤を塗布された防虫帯状体これらを用いた生物用器具を提供することである。
更に、表面に塗る剤が粘着剤であるか、防虫剤であるか、忌避剤であるかにより全く異なる用途に使用することを可能とする。
【課題を解決するための手段】
【００２０】
この発明に係る生物用帯状体は、
螺旋状からなる帯状体の頂点部分を被取り付け体への取り付け部としたことを特徴とする。
【００２１】
この発明に係る生物用帯状体は、更に、
表面に粘着剤を塗布する。
【００２２】
この発明に係る生物用帯状体は、更に、
表面に防虫剤を塗布する。
【００２３】
この発明に係る生物用帯状体は、更に、
表面に忌避剤を塗布する。
【００２４】
この発明に係る生物用帯状体用シートは、
シート周辺から中心まで渦巻き状に切り込みを入れ、帯状体の中心部分を被取り付け体への取り付け部とし、螺旋状からなる帯状体を形成したことを特徴とする。
【００２５】
この発明に係る生物用帯状体用シートは、更に、
表面に粘着剤を塗布する。
【００２６】
この発明に係る生物用帯状体用シートは、更に、
表面に防虫剤を塗布する。
【００２７】
この発明に係る生物用帯状体用シートは、更に、
表面に忌避剤を塗布したことを特徴とする。
【００２８】
この発明に係る生物用器具は、
螺旋状からなる帯状体の頂点部分を被取り付け体へ取り付けたことを特徴とする。
【００２９】
この発明に係る生物用器具は、更に、
被取り付け体がプラスチックボトルである。
【００３０】
この発明に係る生物用器具は、
螺旋状からなる帯状体の頂点部分はプラスチックボトルの口部周囲に嵌められ、その上からキャップを嵌めて帯状体は被取り付け体に固定される。
【００３１】
この発明に係る生物用器具は、更に、
表面に粘着剤を塗布する。
【００３２】
この発明に係る生物用器具は、更に、
表面に防虫剤を塗布する。
【００３３】
この発明に係る生物用器具は、更に、
表面に忌避剤を塗布する。
【発明の効果】
【００３４】
本発明によれば、螺旋状からなる簡単な構造でありながら、生物用帯状体及び生物用帯状体用シート及び生物用器具、詳細には、ハエ等の生物用帯状体及び生物用帯状体用シート及びこれらを用いた生物用器具、更に詳細には、ハエ取り紙あるいは虫取り用帯状体あるいは防虫剤を塗布された防虫帯状体及び生物用帯状体用シート及びこれらを用いた生物用器具を提供することである。
更に、表面に塗る剤が粘着剤であるか、防虫剤であるかにより全く異なる用途に使用することが可能となる。
【図面の簡単な説明】
【００３５】
【図１】この発明の実施の形態に係る実施例の正面図である。
【図２】この発明の実施の形態に係る実施例の斜視図である。
【図３】この発明の実施の形態に係る実施例の一部拡大図である。
【図４】この発明の実施の形態に係る実施例の一部拡大図である。
【図５】この発明の実施の形態に係る他の実施例の正面図である。
【図６】この発明の実施の形態に係る他の実施例の斜視図である。
【発明を実施するための形態】
【００３６】
この発明の実施の一形態に係る第１実施例を、この実施例をあらわす図１乃至図４に基づいて説明する。
【００３７】
１１は、生物用帯状体である。生物用帯状体１１は、螺旋状帯状体からなる。帯状体の頂点部分１２を被取り付け体への取り付け部とする。生物用帯状体１１表面には、実施例では粘着剤、防虫剤あるいは忌避剤を塗布する。
２１は、生物用帯状体用シートである。生物用帯状体１１は、生物用帯状体用シート２１から作られる。生物用帯状体用シート２１は、表面に粘着剤あるいは防虫剤あるいは忌避剤を塗布した円形、方形の紙又はプラスチックシートからなる。
【００３８】
生物用帯状体用シート２１としては、ポリエステル、ポリウレタン、ポリ塩化ビニル、ポリ塩化ビニリデン、ナイロン、アクリル、ポリカーボネート、ポリアセタール、フェノール、エポキシ等のプラスチック、エチレンビニルアルコール共重合体樹脂、ポリビニルアルコール等またはこれらを２種以上混合した混合プラスチックのプレートもしくはシート、またはそれら同種、もしくは異種のプレートやシートを積層した材料も使用可能である。
【００３９】
粘着剤としては、合成粘着剤、天然粘着剤が有効である。合成粘着剤としては、アクリル系粘着剤、ポリブテン系粘着剤、ポリイソブチレン、スチレン−ブタジエンゴム粘着剤、ブチルゴム、クロロブレンゴム、塩ビ−酢ビ共重合体、塩化ゴム、ポリビニルブチラールなどが用いられる。天然粘着剤としては、天然ゴム、ゼラチンなどが用いられる。
【００４０】
更に、各種の添加剤、誘引剤を併用しても良く、これらとしては、例えば、特開２００２−０３７７０８「ハエの誘引剤」記載の「殺菌剤、殺黴剤、保存剤、酸化防止剤、紫外線防止剤、展着剤、キレート剤、増粘剤、誤食防止剤、香料（アセトインなど）、ハエ類の性フェロモン（例えば、（Ｚ）−９−トリコセン）、あるいは他の誘引剤（例えば、フェニル酢酸メチル、フェニル酢酸エチル、フェニル酢酸プロピル、フェニル酢酸フェネチル等）等」が知られている。
更に、「ハエの誘引活性を高めるために、誘引剤を色素により赤色系等に着色」も有効である。「他の食餌誘引剤として、果実（メロン、バナナ、イチゴなど）及びその抽出物や加工品、醸造品（黒酢、みそ、しょうゆなど）、醸造酒（ビール、ワイン、日本酒、果実酒など）、蒸留酒（ウイスキー、焼酎、ウォッカなど）」が知られている。
【００４１】
忌避剤の有効成分としては、特開２０１３−１５１４９３「有害生物防除組成物」記載の、「Ｎ，Ｎ−ジエチル−ｍ−トルアミド、リモネン、リナロール、シトロネラール、メントール、メントン、ヒノキチオール、ゲラニオール、ユーカリプトール、インドキサカルブ、カラン−３，４−ジオール、ＭＧＫ−Ｒ−３２６、ＭＧＫ−Ｒ−８７４及びＢＡＹ−ＫＢＲ−３０２３」等が知られている。
【００４２】
野生動物忌避剤としては、特開２０１２−１５３６７２「野生動物忌避剤」記載の、「ジメチルジスルフィド、ペンタン酸及びアリルイソチオシアネートのいずれか１つ又は２以上を有効成分」の含有、「ジメチルジスルフィドとして、例えば、和光純薬工業株式会社の純度９９％以上の試薬（カタログ番号：０４０−２５６２２）。また、ペンタン酸として、例えば、和光純薬工業株式会社の純度９５％以上の試薬（カタログ番号：２２５−０１２９５）」、「アリルイソチオシアネートとして、和光純薬工業株式会社の純度９９％以上の試薬（カタログ番号：０１０−０１４６６）」が知られている。
防虫剤としては、ｐ−ジクロロベンゼン、ナフタレン等、エムペントリン、プロフルトリン等ピレスロイド系殺虫成分、パラジクロルベンゼン、樟脳その他公知の防虫剤が知られている。常温で揮散性を有する化合物を含有させたものであれば有効である。
【００４３】
生物用帯状体１１は、図１乃至図６に図示されるように、生物用帯状体用シート２１周辺から中心まで渦巻き状に、切り込みを入れ、螺旋状からなる生物用帯状体１１を形成する。平面状の渦巻状にくらべ、螺旋状は立体となり、三次元構造となるため、虫が付きやすくなる。螺旋状は、中心部は狭く下端は中心部に比し幅広しても良い。その場合、端部は幅広であるため、アブラムシ等歩行昆虫を収集するのに適する。また、インテリアとしても適する。
【００４４】
生物用帯状体用シート２１は、図１乃至図４に図示される実施例では、円形からなり、図５、図６に図示される実施例では、四角形からなる。形状は５角形、６角形等任意に選択可能である。
生物用帯状体１１の中心部分である頂点を取出し頂点とすることで螺旋形を形成するとともに、頂点を被取り付け体への取付部１２とする。
取付部１２は円形にくりぬかれる。円形は、プラスチックボトル３２の口部３３に嵌合可能な大きさ形状とする。
【００４５】
生物用器具３１は、生物用帯状体１１と被取り付け体であるプラスチックボトル３２とからなる。螺旋状からなる帯状体１１の頂点部分を被取り付け体であるプラスチックボトル３２へ、取付部１２を取り付ける。プラスチックボトル３２は飲料用の使用済みのものを転用可能である。そのため資源の活用に有効である。プラスチックボトル３２は、置く場所を選ばない。
螺旋状からなる帯状体の頂点部分である取付部１２は、図２乃至図４に図示されるように、プラスチックボトル３２の口部３３周囲に嵌められ、その上からキャップ３４を嵌める。そのため生物用帯状体１１は被取り付け体３１に固定される。
図６に図示される実施例では、プラスチックボトル３２の代わりに棒状体に取り付けられる。その場合、取付部１２の径は、図５に図示されるように棒状体の大きさに合される。
【００４６】
生物用帯状体１１は、表面に粘着剤あるいは防虫剤あるいは忌避剤を塗布したので、生物用器具３１全体で、粘着作用あるいは防虫作用あるいは生物の忌避作用を有する。
螺旋状からなるので、裾野があり、広い空間をカバーすることで、粘着される昆虫等の量を多くすることが可能である。
虫は、紙などの角につきやすい性格をもつので、螺旋状に繋がる帯により帯の辺を長くとることにより、昆虫の付着する可能性を多くすることが可能となる。
また、インテリアとしても使用することが可能である。
【００４７】
プラスチックボトル３２に元々取り付けられる色あるいは形とは、異なるキャップ３４に代えることが可能である。そのことで、プラスチックボトル３２の本来の内容物と異なっている内容物が収納されていることが表示される。プラスチックボトル３２のキャップは規格品なので、同じ大きさとなる。
中身に水等を入れたプラスチックボトル３２は、震災用品として配布される。他方、震災時には、虫等が発生することが経験上知られている。そのため、簡易な生物用器具３１として使用することが可能となり、電池も不要であるので、虫対策として防災用品としても使用可能である。
【００４８】
プラスチックボトル３２内に、新たに液体を入れることも可能である。生物用帯状体１１に粘着剤あるいは殺虫剤を塗布したときは、付着される昆虫等を増やすため、ハエ類の性フェロモン等を入れる。生物用帯状体１１に忌避剤を塗布するときは、逆に忌避剤を入れることで、効果を高める。
その場合、プラスチックボトル３２あるいは、キャップ３４に穴を設けることで、プラスチックボトル３２内の内容物を拡散させることが可能となる。
【００４９】
表面に粘着剤あるいは防虫剤あるいは忌避剤を塗布することで、虫の除去あるいは防虫防獣、忌避を図ることが可能となる。
【符号の説明】
【００５０】
１１  生物用帯状体
１２  取付部
２１  生物用帯状体用シート
３１  生物用器具
３２  プラスチックボトル
３３  口部
３４  キャップ
【図１】
2015208270.tif 000003
【図２】
2015208270.tif 000004
【図３】
2015208270.tif 000005
【図４】
2015208270.tif 000006
【図５】
2015208270.tif 000007
【図６】
2015208270.tif 000008